(57)【要約】【課題】にじみが少なく、良好かつ鮮明な画像を形成することができる着色剤調合物を提供する。【解決手段】本発明は、  少なくとも一種の粒子状着色剤ａ）、  大気圧下、２４７℃以上の沸点を有する少なくとも一種の有機溶媒ｂ）、および、  水ｃ）、を含み、  大気圧下、２４７℃未満の沸点を有する少なくとも一種の有機溶媒を、０．２５質量％未満含む着色剤調合物により上記課題を解決する。【選択図】なし【特許請求の範囲】
【請求項１】
少なくとも一種の粒子状着色剤ａ）、
大気圧下、２４７℃以上の沸点を有する少なくとも一種の有機溶媒ｂ）、および、
水ｃ）、を含み、
大気圧下、２４７℃未満の沸点を有する少なくとも一種の有機溶媒を、０．２５質量％未満含む着色剤調合物。
【請求項２】
全ての有機溶媒ｂ）が、大気圧下、少なくとも２５０℃の沸点を有する請求項１に記載の着色剤調合物。
【請求項３】
全ての有機溶媒ｂ）が、少なくとも２００℃の分解点を有する請求項１または２に記載の着色剤調合物。
【請求項４】
水ｃ）を、少なくとも３０質量％含む請求項１〜３のいずれか１項に記載の着色剤調合物。
【請求項５】
遊離重金属イオンを５００ｐｐｍ未満含む請求項１〜４のいずれか１項に記載の着色剤調合物。
【請求項６】
請求項１〜５のいずれか１項に記載の着色剤調合物の、インクを製造するための使用法。
【請求項７】
請求項１〜５のいずれか１項に記載の着色剤調合物の、インクジェット方式用インクを製造するための使用法。
【請求項８】
請求項１〜５のいずれか１項に記載の着色剤調合物を用いたインクジェット方式用インクの製造方法。
【請求項９】
請求項１〜５のいずれか１項に記載された着色剤調合物、または、請求項７もしくは８に記載のインクを用いたインクジェット方式による基板への印刷方法。
【請求項１０】
前記基板が、織物基板である請求項９に記載の方法。
【請求項１１】
請求項１０または１１に記載の方法によって得られた印刷基板。
【発明の詳細な説明】
【技術分野】
【０００１】
本発明は、
少なくとも一種の粒子状着色剤ａ）、
大気圧下、２４７℃以上の沸点を有する少なくとも一種の有機溶媒ｂ）、および
水ｃ）、を含み、
大気圧下、２４７℃未満の沸点を有する少なくとも一種の有機溶媒を、０．２５質量％未満含む着色剤調合物に関する。
【背景技術】
【０００２】
インクジェット方式（例えば、サーマルインクジェット方式、ピエゾインクジェット方式、コンティニュアスインクジェット方式、バルブインクジェット方式、転写方式）において使用される着色剤調合物、特に顔料インクは、一連の要件の全てを満たさなければならない：これらは、印刷に適した粘度および表面張力を有していなければならず、保存性において安定でなければならない、すなわち、凝固または凝縮すべきではなく、プリンターノズルの詰まりを招いてはならず、これは分散させたすなわち溶解させてない着色剤粒子を含むインクを用いた場合に特に問題となり得る。これらのインクへの保存における安定性のさらなる要件は、分散された着色剤粒子が沈殿しないことである。さらに、コンティニュアスインクジェットの場合、導電性塩の添加においても安定でなければならず、イオン量の増加に伴うフロックの析出傾向があってはならない。さらに、得られた印刷物は、色彩の要件、すなわち、高い光沢および色の深みを示し、必要であれば定着などの後処理後に、摩擦定着性（堅牢度）、光定着性、水定着性、および湿潤摩擦定着性などの定着性が高く、優れた乾燥特性などを有していなければならない。
【０００３】
更なる要件としては、印刷されるイメージや文字、記号等がにじまず、かつ、例えば異なる色のインク液滴が混ざらないようするため、基板上でインクが素早く乾燥することがある。これに関して、針状に鮮明な印刷の形成には、印刷乾燥時間の最短化だけでなく、印刷乾燥時間の間における基板上のインク液滴のにじみ制御も必要とする。液滴がにじまないインクは、優れた抑止特性（ホールドアウト）を有していると言われている。従来のインクの抑止特性または印刷鮮明度は、所望するものとは離れていた。
【０００４】
ＵＳ５，１４１，５５６は、染料または分散された顔料、および、成分ｃ）としてヘキセン−１，２−ジオールまたは脂肪族１，２−ジオールまたは脂肪族１，３−ジオール、好ましくは分岐した１，２−ジオールからなる水溶性インクおよびそれらのインクジェット印刷への使用が開示されている。しかしながら、前記インクには、未だに改良の余地を残している。
【０００５】
ＥＰ０６４９８８８は、水および溶解性染料と同様に、プロピレングリコールモノ−ｎ−ブチルエーテル、および／または、ジプロピレングリコールモノ−ｎ−ブチルエーテル、ならびに、その他の水溶性ブチルエーテルからなるインクジェット印刷方式用インク組成物が開示されている。このように得られる前記インクは、リサイクル用紙上で優れたイメージを形成できるが、吸湿性が低いインク液滴の抑止特性は十分ではない。
【０００６】
ＥＰ−Ａ０５１４１５９は、水溶性染料およびいくつかの有機溶媒を含む水溶性インクが開示されている。ＥＰ−Ａ０５１４１５９において開示されているインクも同様に、改良の余地を残している。
【発明の開示】
【発明が解決しようとする課題】
【０００７】
本発明の目的は、上述した不具合を有しない、着色剤調合物、特にインクジェット方式用インクを提供することである。本発明のさらなる目的は、改良された着色剤調合物の製造方法を提供することである。本発明のさらなる目的は、印刷基板を提供することである。
【課題を解決するための手段】
【０００８】
我々は、まず、前記第一の目的が、所定の着色剤調合物によって達成されることを見出した。
【０００９】
すなわち、本発明は、
少なくとも一種の粒子状着色剤ａ）、
大気圧下、２４７℃以上の沸点を有する少なくとも一種の有機溶媒ｂ）、および、
水ｃ）、を含み、
大気圧下、２４７℃未満の沸点を有する少なくとも一種の有機溶媒を、０．２５質量％未満含む着色剤調合物により上記課題を解決する。
【発明の効果】
【００１０】
本発明によれば、印刷特性に優れる着色剤調合物、特にインクジェット方式用インクを提供することが可能となる。
【発明を実施するための最良の形態】
【００１１】
本発明の着色剤調合物は、例えば、顔料または分散された染料など、粒子状着色剤ａ）を含む。本発明の目的において、前記顔料は、ドイツ標準規格ＤＩＮ５５９４４における規定に従って、実質的に不溶性で、高分散された有機着色剤または無機着色剤である。
【００１２】
顔料の代表的な例としては、下記のものがある。
−モノアゾ顔料：
シー．アイ．ピグメントブラウン２５；シー．アイ．ピグメントレンジ５，１３，３６，および６７；シー．アイ．ピグメントレッド１，２，３，５，８，９，１２，１７，２２，２３，３１，４８：１，４８：２，４８：３，４８：４，４９，４９：１，５２：１，５２：２，５３，５３：１，５３：３，５７：１，６３，１１２，１４６，１７０，１８４，２１０，２４５，および２５１；シー．アイ．ピグメントイエロー１，３，７３，７４，６５，９７，１５１，および１８３；
−ジスアゾ顔料：
シー．アイ．ピグメントレンジ１６，３４，および４４；シー．アイ．ピグメントレッド１４４，１６６，２１４，および２４２；シー．アイ．ピグメントイエロー１２，１３，１４，１６，１７，８１，８３，１０６，１１３，１２６，１２７，１５５，１７４，１７６，および１８８；
−アンタントロン顔料：
シー．アイ．ピグメントレッド１６８（シー．アイ．バットオレンジ３）；
−アントラキノン顔料：
シー．アイ．ピグメントイエロー１４７および１７７；シー．アイ．ピグメントバイオレット３１；
−アントラキノン顔料：
シー．アイ．ピグメントイエロー１４７および１７７；シー．アイ．ピグメントバイオレット３１；
−アントラピリミジン顔料：
シー．アイ．ピグメントイエロー１０８（シー．アイ．バットイエロー２０）；
−キナクリドン顔料：
シー．アイ．ピグメントレッド１２２，２０２および２０６；シー．アイ．ピグメントバイオレット１９；
【００１３】
−キノフタロン顔料：
シー．アイ．ピグメントイエロー１３８；
−ジオキサジン顔料：
シー．アイ．ピグメントバイオレット２３および３７；
−フラバントロン顔料：
シー．アイ．ピグメントイエロー２４（シー．アイ．バットイエロー１）；
−インダントロン顔料：
シー．アイ．ピグメントブルー６０（シー．アイ．バットブルー４）および６４（シー．アイ．バットブルー６）；
−イソインドリン顔料：
シー．アイ．ピグメントオレンジ６９；シー．アイ．ピグメントレッド２６０；シー．アイ．ピグメントイエロー１３９および１８５；
−イソインドリノン顔料：
シー．アイ．ピグメントオレンジ６１；シー．アイ．ピグメントレッド２５７および２６０；シー．アイ．ピグメントイエロー１０９，１１０，１７３および１８５；
−イソビオラントロン顔料：
シー．アイ．ピグメントバイオレット３１（シー．アイ．バットバイオレット１）；
−金属錯体顔料：
シー．アイ．ピグメントイエロー１１７，１５０および１５３；シー．アイ．ピグメントグリーン８；
−ペリノン顔料：
シー．アイ．ピグメントオレンジ４３（シー．アイ．バットオレンジ７）；シー．アイ．ピグメントレッド１９４（シー．アイ．バットレッド１５）；
−ペリレン顔料：
シー．アイ．ピグメントブラック３１および３２；シー．アイ．ピグメントレッド１２３，１４９，１７８，１７９（シー．アイ．バットレッド２３），１９０（シー．アイ．バットレッド２９）および２２４；シー．アイ．ピグメントバイオレット２９；
−フタロシアニン顔料：
シー．アイ．ピグメントブルー１５，１５：１，１５：２，１５：３，１５：４，１５：６および１６；シー．アイ．ピグメントグリーン７および３６；
−ピラントロン顔料：
シー．アイ．ピグメントオレンジ５１；シー．アイ．ピグメントレッド２１６（シー．アイ．バットオレンジ４）；
−チオインジゴ顔料：
シー．アイ．ピグメントレッド８８および１８１（シー．アイ．バットレッド１）；シー．アイ．ピグメントバイオレット３８（シー．アイ．バットバイオレット３）；
−トリアリールカルボニウム顔料：
シー．アイ．ピグメントブルー１，６１および６２；シー．アイ．ピグメントグリーン１；シー．アイ．ピグメントレッド８１，８１：１および１６９；シー．アイ．ピグメントバイオレット１，２，３および２７；シー．アイ．ピグメントブラック１（アニリンブラック）；
−シー．アイ．ピグメントイエロー１０１（アルダジンイエロー）；
−シー．アイ．ピグメントブラウン２２
【００１４】
無機顔料としては、下記のものがある。
−ホワイト顔料：
二酸化チタン（シー．アイ．ピグメントホワイト６），ジンクホワイト，ピグメントグレード酸化亜鉛；硫化亜鉛，リトポン；鉛白；
−ブラック顔料：
酸化鉄ブラック（シー．アイ．ピグメントブラック１１），鉄マンガンブラック，スピネルブラック（シー．アイ．ピグメントブラック２７）；カーボンブラック（シー．アイ．ピグメントブラック７）；
−クロマティック顔料：
酸化クロム，酸化クロム水和物グリーン；クロムグリーン（シー．アイ．ピグメントグリーン４８）；コバルトグリーン（シー．アイ．ピグメントグリーン５０）；ウルトラマリングリーン；コバルトブルー（シー．アイ．ピグメントブルー２８および３６）；ウルトラマリンブルー；アイアンブルー（シー．アイ．ピグメントブルー２７）；マガニーズブルー；ウルトラマリンバイオレット；コバルトバイオレット，マガニーズバイオレット；酸化鉄レッド（シー．アイ．ピグメントレッド１０１）；硫セレン化カドミウム（シー．アイ．ピグメントレッド１０８）；モリブデン酸塩レッド（シー．アイ．ピグメントレッド１０４）；ウルトラマリンレッド；
酸化鉄ブラウン，ミックスブラウン，スピネル相およびコランダム相（シー．アイ．ピグメントブラウン２４，２９および３１），クロムオレンジ；
酸化鉄イエロー（シー．アイ．ピグメントイエロー４２）；ニッケルチタンイエロー（シー．アイ．ピグメントイエロー５３；シー．アイ．ピグメントイエロー１５７および１６４）；クロムチタンイエロー；硫化カドミウムおよび硫化亜鉛カドミウム（シー．アイ．ピグメントイエロー３７および３５）；クロムイエロー（シー．アイ．ピグメントイエロー３４），亜鉛イエロー，アルカリ土類金属クロム酸塩；ネープルズイエロー，バナジウムビスマス酸（シー．アイ．ピグメントイエロー１８４）；
−インターフェレンス顔料：
被覆された金属プレートレットに基づく金属性顔料；金属酸化物で被覆された雲母プレートレットに基づくパール光沢顔料，液晶顔料。
【００１５】
本発明において、好ましい顔料は、モノアゾ顔料（特に、レーキＢＯＮＳ顔料、ナフトールＡＳ顔料）、ジスアゾ顔料（特に、ジアリールイエロー顔料、ビスアセトアセトアニリド顔料、ジスアゾピラゾロン顔料）、キナクリドン顔料、キノフタロン顔料、ペリノン顔料、フタロシアニン顔料、トリアリールカルボニウム顔料（アルカリブルー顔料、レーキローダミン、混合アニオンとの染料塩）、イソインドリン顔料、およびカーボンブラックである。
【００１６】
特に好ましい顔料の具体的な例としては、シー．アイ．ピグメントイエロー１３８，シー．アイ．ピグメントレッド１２２，シー．アイ．ピグメントバイオレット１９，シー．アイ．ピグメントブルー１５：３および１５：４，シー．アイ．ピグメントブラック７，シー．アイ．ピグメントオレンジ５，３８および４３、ならびにシー．アイ．ピグメントグリーン７である。
【００１７】
上記列挙した顔料は、本発明の着色剤調合物に基づくインクジェットインクセットの製造に有利に用いられる。それぞれの着色剤調合物または顔料インクにおける特定の顔料の濃度は、特定の条件（三原色の着色など）に適応させなければならない、すなわち、シアンブルー顔料、マゼンタ顔料、イエロー顔料、ブラック顔料はそれぞれの含有量について調整されるべきである。
【００１８】
下記顔料の組合せが、三原色の条件について特に推奨される。
−シー．アイ．ピグメントイエロー１３８，シー．アイ．ピグメントバイオレット１９，シー．アイ．ピグメントブルー１５：３およびシー．アイ．ピグメントブラック７；
−シー．アイ．ピグメントイエロー１３８，シー．アイ．ピグメントレッド１２２，シー．アイ．ピグメントブルー１５：３または１５：４およびシー．アイ．ピグメントブラック７；
−シー．アイ．ピグメントイエロー１３８，シー．アイ．ピグメントバイオレット１９，シー．アイ．ピグメントブルー１５：３，シー．アイ．ピグメントブラック７，シー．アイ．ピグメントオレンジ４３およびシー．アイ．ピグメントグリーン７；
−シー．アイ．ピグメントイエロー１３８，シー．アイ．ピグメントレッド１２２，シー．アイ．ピグメントブルー１５：３または１５：４，シー．アイ．ピグメントブラック７，シー．アイ．ピグメントオレンジ５およびシー．アイ．ピグメントグリーン７；
−シー．アイ．ピグメントイエロー１３８，シー．アイ．ピグメントレッド１２２，シー．アイ．ピグメントブルー１５：３または１５：４，シー．アイ．ピグメントブラック７，シー．アイ．ピグメントオレンジ３８およびシー．アイ．ピグメントグリーン７；
−シー．アイ．ピグメントイエロー１３８，シー．アイ．ピグメントレッド１２２，シー．アイ．ピグメントブルー１５：３または１５：４，シー．アイ．ピグメントブラック７，シー．アイ．ピグメントオレンジ４３およびシー．アイ．ピグメントグリーン７
【００１９】
それぞれの分散染料の具体的な例としては、
−シー．アイ．ディスパースイエロー２，４，５，６，７，８，１０，１１，１１：１，１２，１３，１４，１５，１６，１７，１８，１９，２０，２１，２２，２３，２４，２５，２６，２７，２８，２９，３０，３１，３２，３３，３４，３５，３６，３７，３８，４０，４１，４２，４３，４４，４５，４６，４７，４８，５０，５１，５２，５３，５４，５５，５６，５７，５８，５９，６０，６１，６２，６３，６４，６５，６６，６７，６８，６９，７０，７１，７２，７３，７４，７５，７６，７７，７８，７９，８０，８１，８２，８３，８４，８５，８６，８７，８８，８９，９０，９１，９２，９３，９４，９５，９６，９７，９８，９９，１００，１０１，１０２，１０３，１０４，１０５，１０６，１０７，１０８，１０９，１１０，１１１，１１２，１１３，１１４，１１５，１１６，１１７，１１８，１１９，１２０，１２１，１７９，１８０，１８１，１８２，１８３，１８４，１８４：１，１９８，２００，２０１，２０２，２０３，２０４，２０５，２０６，２０７，２０８，２０９，２１０，２１１，２１２，２１３，２１４，２１５，２１６，２１７，２１８，２１９，２２０，２２１，２２２，２２３，２２４，２２５，２２６，２２７および２２８；
−シー．アイ．ディスパースオレンジ２，４，５，６，７，８，９，１０，１２，１３，１４，１５，１６，１７，１８，１９，２０，２１，２２，２３，２４，２５，２５：１，２６，２７，２８，２９，３０，３１，３２，３３，３４，３５，３６，３８，３９，４０，４１，４１：１，４２，４３，４４，４５，４６，４７，４８，４９，５０，５１，５２，５３，５４，５５，５６，５７，５８，５９，６０，６１，６２，６３，６４，６５，６６，６７，６８，６９，７０，７１，７２，７３，７４，７５，７７，７８，７９，８０，８１，８２，８３，８４，８５，８６，８７，８８，８９，９０，９１，１２６，１２７，１２８，１２９，１３０，１３１，１３６，１３７，１３８，１３９，１４０，１４１，１４２，１４３，１４５，１４６，１４７および１４８；
−シー．アイ．ディスパースレッド２，３，４，５，５：１，６，７，８，９，１０，１２，１３，１４，１５，１６，１８，１９，２０，２１，２２，２３，２４，２５，２６，２７，２８，２９，３０，３０：１，３１，３２，３３，３４，３５，３６，３８，３９，４０，４１，４３，４３：１，４６，４８，５０，５１，５２，５３，５４，５５，５５：１，５６，５８，５９，６０，６１，６３，６５，６６，６９，７０，７２，７３，７４，７５，７６，７７，７９，８０，８１，８２，８４，８５，８６，８６：１，８７，８８，８９，９０，９１，９２，９３，９４，９６，９７，９８，１００，１０２，１０３，１０４，１０５，１０６，１０７，１０８，１０９，１１０，１１１，１１２，１１３，１１５，１１６，１１７，１１８，１２０，１２１，１２２，１２３，１２５，１２６，１２７，１２８，１２９，１３０，１３１，１３２，１３３，１３４，１３５，１３６，１３７，１３８，１３９，１４０，１４１，１４２，１４３，１４４，１４５，１４６，１４７，１４８，１４９，１５０，１５１，１５１：１，１５２，１５３，１５４，１５５，１５６，１５７，１５８，１５９，１６０，１６１，１６２，１６３，１６４，１６５，１６６，１６７，１６７：１，１６８，１６９，１７０，１７１，１７２，１７３，１７４，１７５，１７６，１７７，１７８，１７９，１８０，１８１，１８２，１８３，１８４，１８５，１８６，１８７，１８８，１８９，１９０，１９０：１，１９１，１９１：１，１９２，１９３，１９４，１９５，２１１，２２３，２２４，２７３，２７４，２７５，２７６，２７７，２７８，２７９，２８０，２８１，３０２：１，３０５，３０６，３０７，３０８，３０９，３１０，３１１，３１２，３１３，３１４，３１５，３１６，３１７，３１８，３１９，３２０，３２１，３２２，３２３，３２４，３２５，３２６，３２７，３２８，３２９，３３０，３３１，３３２，３３３，３３４，３３５，３３６，３３８，３３９，３４０，３４１，３４２，３４３，３４４，３４６，３４７，３４８，３４９，３５２，３５６および３６７；
【００２０】
−シー．アイ．ディスパースバイオレット １，２，３，４，４：１，５，６，７，８，９，１０，１１，１２，１３，１４，１５，１６，１７，１８，１９，２０，２１，２２，２３，２４，２５，２６，２７，２８，２９，３１，３３，３４，３５，３６，３７，３８，３９，４０，４１，４２，４３，４４，４５，４６，４７，４８，４９，５０，５１，５２，５３，５４，５５，５６，５７，５８，５９，６０，７０，８１，８６，８７，８８，８９，９１，９２，９３，９４，９６および９７；
−シー．アイ．ディスパースブルー２，４，５，６，８，９，１０，１１，１２，１３，１３：１，１４，１５，１６，１７，１８，１９，２０，２１，２２，２３，２３：１，２４，２５，２７，２８，２９，３０，３１，３２，３３，３４，３６，３８，３９，４０，４２，４３，４４，４５，４７，４８，４９，５１，５２，５３，５４，５５，５６，５８，６０，６０：１，６１，６２，６３，６４，６４：１，６５，６６，６８，７０，７２，７３，７５，７６，７７，７９，８０，８１，８１：１，８２，８３，８４，８５，８６，８７，８８，８９，９０，９１，９２，９３，９４，９５，９６，９７，９８，９９，１００，１０１，１０３，１０４，１０５，１０７，１０８，１０９，１１１，１１２，１１３，１１４，１１５，１１６，１１７，１１８，１１９，１２１，１２２，１２３，１２５，１２６，１２７，１２８，１３０，１３１，１３２，１３３，１３４，１３６，１３７，１３８，１３９，１４０，１４１，１４２，１４３，１４４，１４５，１４６，１４７，１４８，１４９，１５０，１５１，１５２，１５３，１５４，１５５，１５６，１５８，１５９，１６０，１６１，１６２，１６３，１６４，１６５，１６５：２，１６６，１６７，１６８，１６９，１７０，１７１，１７２，１７３，１７４，１７５，１９５，２８１，２８２，２８３，２８３：１，２８４，２８５，２８６，２８７，２８８，２８９，２９０，２９１，２９２，２９３，２９４，３１６，３１７，３１８，３１９，３２０，３２１，３２２，３２３，３２４，３２５，３２６，３２７，３２８，３２９，３３０，３３１，３３２，３３３，３３４，３３５，３３６，３３７，３３８，３３９，３４０，３４１，３４２，３４３，３４４，３４５，３４６，３４７，３４９，３５１および３５９；
−シー．アイ．ディスパースグリーン１，２，５，６および９；
−シー．アイ．ディスパースブラウン１，２，３，４，４：１，５，７，８，９，１０，１１，１８，１９，２０および２１；
−シー．アイ．ディスパースブラック１，３，４，５，６，７，８，９，１０，１１，１２，１３，１４，１５，２０，２２，２４，２５，２６，２７，２８，２９，２９：１，３０，３１，３２，３３，３４および３６；
また、好ましくは、式Ａによる基本構造を有する置換ベンゾジフラノンである。
【００２１】
【化１】
2007502335.tif 000002
【００２２】
このような染料は、どちらか一方または双方のフェニル環が、置換されていてもよい。有用な置換基Ｘ1およびＸ2は、ハロゲン、隣接しない酸素原子により中断されているまたはされていないアルキル基、酸素原子により中断されているまたはされていないおよびアルキル部において置換を有するまたは有しないアルコキシ基、ヒドロキシル基、置換または非置換のアミノ基、シアノ基、ニトロ基、およびアルコキシカルボニル基を含む。
【００２３】
式Ｂによる染料もまた好ましい。
【００２４】
【化２】
2007502335.tif 000003
【００２５】
分散染料のさらなる例としては、ＷＯ９７／４６６２３、ＷＯ９８／２４８５０、およびＷＯ９９／２９７８３に記載されたものがある。
【００２６】
本発明の着色剤調合物は、二以上の異なる着色剤の混合物を含んでいてもよい。しかしながら、本発明の着色剤調合物は、二以上の異なる着色剤の混合物ではなく、一種類の着色剤のみを含むのが好ましい。
【００２７】
本発明の着色剤調合物は、粒子状である、すなわち、粒子の形状を有する着色剤を含む。前記粒子は、その形状において、規則的または非規則的であってもよく、例えば、前記粒子は、球状、実質的に球の形状、または針状であってもよい。
【００２８】
本発明の一実施形態において、粒子は、球状または実質的に球の形状である、すなわち、最小直径に対する最大直径の比が１．０〜２．０、好ましくは１．５以下である。
【００２９】
本発明の着色剤調合物中に含まれる粒子状の着色剤は、非常に細かく分割されるべきである。好ましくは９５質量％以上、より好ましくは９９質量％以上の着色剤粒子が、１μｍ、好ましくは０．５μｍ、特に０．２μｍの中央粒径を有するのが好ましい。
【００３０】
本発明の好ましい一実施形態において、本発明の着色剤調合物は、粒子状の着色剤を１０〜１００ｇ／ｌ、好ましくは１２〜７０ｇ／ｌ含む。
【００３１】
本発明の着色剤調合物および特に本発明のインクジェット方式用インクにおける成分ｂ）は、大気圧下で、２４７℃以上、好ましくは２５０℃以上の沸点を有する少なくとも一種の有機溶媒である。
【００３２】
好ましくは、本発明の着色剤調合物に含まれる有機溶媒ｂ）は、分解点が少なくとも２００℃またはそれ以上である特性を有する。
【００３３】
低分子量ポリテトラヒドロフランが有機溶媒ｂ）であるのが好ましく、これは、単独で、または、一種以上の高沸点の水溶性または水混和性の有機溶媒と混合して用いてもよい。
【００３４】
前記低分子量ポリテトラヒドロフランは、１５０〜５００ｇ／ｍｏｌ、好ましくは２００〜３００ｇ／ｍｏｌ、より好ましくは約２５０ｇ／ｍｏｌの（分子量分布に対する）数平均分子量ＭWを有するものが、通例、好ましく用いられる。
【００３５】
ポリテトラヒドロフランは、テトラヒドロフランのカチオン重合による従来の方法で調製できる。
【００３６】
ポリテトラヒドロフランが、さらなる有機溶媒と混合して用いられる場合、前記有機溶媒は、一般的に高沸点（すなわち、前記沸点が、大気圧で、一般的に≧２４７℃である）であり、かつ、水中で溶解されるまたは水溶性を有するものが用いられる。
【００３７】
有用な溶媒は、多価アルコール、好ましくは、グリセロールなど、３〜８、特に３〜６の炭素原子を有する分岐または非分岐の多価アルコールを含む。
【００３８】
有用な溶媒は、ポリエチレングリコールおよびポリプロピレンをさらに含み、また、これらは低重合体（三および四量体）をも含む。ポリエチレングリコールおよびポリプロピレンは、１２０〜１５００ｇ／ｍｏｌ、特に２００〜８００ｇ／ｍｏｌ、さらに３００〜５００ｇ／ｍｏｌの数平均分子量Ｍnを有するものが好ましい。具体的な例は、トリエチレングリコール、テトラエチレングリコール、トリエチレングリコールモノメチルエーテル、トリエチレングリコールモノエチルエーテル、トリエチレングリコールモノプロピルエーテル、トリエチレングリコールモノブチルエーテル、ｔｒｉ−およびｔｅｔｒａ−１，２−および−１，３−プロピレングリコール、および、ｔｒｉ−およびｔｅｔｒａ−１，２−および−１，３−プロピレングリコールモノメチル、モノエチル、モノプロピル、モノブチルエーテルである。
【００３９】
特に好ましい溶媒の例としては、グリセロール、ポリエチレングリコール（Ｍn３００〜５００ｇ／ｍｏｌ）、ジエチレングリコールモノブチルエーテル、および、トリエチレングリコールモノブチルエーテルである。
【００４０】
また、ポリテトラヒドロフランは、一以上（例えば、２、３、または４）の上記した溶媒と混合されてもよい。
【００４１】
本発明の一実施形態としては、本発明の着色剤調合物および特に本発明のインクジェット方式用インクは、有機溶媒を、０．１質量％〜４５質量％、好ましくは５質量％〜３０質量％、より好ましくは１０質量％〜２５質量％、最も好ましくは１０質量％〜２０質量％含んでいてもよい。
【００４２】
本発明の目的において、有機溶媒は、室温で、液体である。
【００４３】
本発明の着色剤調合物および特に本発明のインクジェット方式用インクは、大気圧で、２４７℃未満の沸点を有する有機溶媒を含まない。ここで用いる“溶媒を含まない”とは、２４７℃未満の沸点を有する有機溶媒画分が、全量で、０．２５質量％未満、好ましくは０．１質量％未満、より好ましくは０．０５質量％未満の不純物または混入物として存在していてもよいことを意味する。それぞれの場合において質量％で示される量は本発明の着色剤調合物に対する。
【００４４】
２４７℃未満の沸点を有する有機溶媒の例としては、例えば、エチレングリコール、ジエチレングリコール、Ｎ−メチルピロリドン、プロピレングリコール、プロピレンカーボネート、ジエチレンモノメチルエーテル、ジエチレンモノエチルエーテル、ジエチレンモノ−ｎ−ブチルエーテル、１，２−メトキシエタン、イソプロパノール、およびエタノールが挙げられる。
【００４５】
有機溶媒、特に上述した特に好ましい溶媒の組み合わせを含むものは、溶媒混合物の保水効果をさらに向上させるため、尿素（本発明の着色剤調合物および特に本発明のインクジェット方式用インクの質量に対して、好ましくは０．１質量％〜５質量％）が追加されるのが好ましい。
【００４６】
本発明の着色剤調合物および特に本発明のインクジェット方式用インクは、印刷産業および塗布産業において、特に水溶性インクジェットインクに慣用されている助剤をさらに含んでいてもよい。このような助剤の例としては、エリトリトール、ペンタエリスリトール、アラビトール、アドニトール、およびキシリトールなどのペンチトール、ソルビトール、マンニトール、およびズルシトールなどのヘキシトールなどが挙げられる。
【００４７】
さらなる例としては、２０００ｇ／ｍｏｌを超え１００００ｇ／ｍｏｌ、好ましくは８００ｇ／ｍｏｌ以下のＭｗを有するポリエチレングリコールがある。さらなる例は、例えば、１，２−ベンズイソチアゾリン−３−オンおよびアルカリ金属塩などの保存料、例えば、アセチレンジオール１モルあたり２０〜４０モルのエチレンオキシドを通常、含み、かつ、分散性を有していてもよい、エトキシル化アセチレンジオールなどの脱ガス剤／消泡剤、粘度調整剤、フロー剤、湿潤剤（例えば、エトキシル化またはプロポキシル化された脂肪またはオキソアルコール、プロピレンオキサイド−エチレンオキサイドのブロック共重合体、オレイン酸またはアルキルフェノールのエトキシレート、アルキルフェノールエーテル硫酸塩（ａｌｋｙｌｐｈｅｎｏｌ  ｅｔｈｅｒ  ｓｕｌｆａｔｅｓ）、アルキルポリグリコシド、アルキルホスホン酸塩、アルキルフェニルホスホン酸塩、アルキルホスホン酸塩、アルキルフェニルホスホン酸塩、または、好ましくはポリエーテルシロキサン共重合体、特にアルコキシル化２−（３−ヒドロキシプロピル）ヘプタメチルトリシロキサンに基づく、７〜２０、好ましくは７〜１２のエチレンオキサイド単位と２〜２０、好ましくは２〜１０のプロピレンオキサイド単位とから一般的になり、かつ、着色剤調合物において０．０５質量％〜１質量％の量で含まれ得る湿潤性界面活性剤）、防沈殿剤（ａｎｔｉ−ｓｅｔｔｌｅｒｓ）、光沢向上剤、潤滑油、接着向上剤、皮張り防止剤、つや消し剤、乳化剤、安定剤、疎水剤、光制御添加剤、手触り向上剤（ｈａｎｄ  ｉｍｐｒｏｖｅｒｓ）、ｐＨ調整剤としてＫ2ＣＯ3などの塩基または特に乳酸またはクエン酸等のカルボン酸などの酸である。これらの物質が本発明の着色剤調合物および特に本発明のインクジェット方式用インクの一部である場合、その全量は、本発明の着色剤調合剤および特に本発明のインクジェット方式用インクの質量に対して、一般的に２質量％、特に１質量％である。
【００４８】
本発明の着色剤調合剤は、分散剤をさらに含んでいてもよい。有用な分散剤の例としては、ＵＳ４，２１８，２１８などに記載されているものなどのアルコキシル化または部分的に硫酸化されたアルキルフェノール、ＵＳ５，１８６，８４６などに記載されているナフタリンスルホン酸とホルムアルデヒドとの凝縮物またはアリールスルホン酸−ホルムアルデヒド凝縮物の混合物などが挙げられる。
【００４９】
さらに、有用な分散剤としては、式
ＣxＨ2x+1Ｏ（ＣＨ2ＣＨ2Ｏ）yＨ
（Ｘは１２〜３０、好ましくは１８以下の整数であり、ｙは３〜５０の整数である）の脂肪アルコールが挙げられる。
【００５０】
さらに、有用な分散剤としては、マレイン酸−アクリル酸の共重合体、特にそれらの２０００〜１００００ｇ／ｍｏｌの分子量を有し、ランダム共重合体またはブロック共重合体の形態を有するものが挙げられる。有用な分散剤としては、Ｎ−ビニルピロリドンホモポリマー、アクリレート−Ｎ−ビニルピロリヂン共重合体、特に２０００から１００００ｇ／ｍｏｌの分子量Ｍnを有し、ランダム共重合体またはブロック共重合体の形態を有するＮ−ビニルピロリドンホモポリマーおよびアクリレート−Ｎ−ビニルピロリヂン共重合体が挙げられる。
【００５１】
本発明の一実施形態において、本発明の着色剤調合物および特に本発明のインクジェット方式用インクは、バインダーを含む。バインダーとしては、放射線硬化性バインダー、熱硬化性バインダー、および風乾燥性バインダーよりなる群から選択されるものであり得る。有用なバインダーは、例えば、ＷＯ９９／０１５１６およびＷＯ０２／３６６９５などに記載されている。同様に、ＷＯ０３／２９３１８などの分散性バインダー化合物も添加剤として有用である。
【００５２】
本発明の一実施形態において、本発明の着色剤調合物および特に本発明のインクジェット方式用インクは、それぞれ２０℃において、１〜３０ｍＰａ・ｓ、好ましくは１〜２０ｍＰａ・ｓ、より好ましくは２〜１５ｍＰａ・ｓの動的粘度を有する。
【００５３】
本発明の着色剤調合物および特に本発明のインクジェット方式用インクの表面張力は、２０℃で、概して２０〜７０ｍＮ／ｍ、特に２０〜４０ｍＮ／ｍ、より好ましくは２５〜３５ｍＮ／ｍである。
【００５４】
本発明の一実施形態において、本発明の着色剤調合物および特に本発明のインクジェット方式用インクのｐＨは、概して５から１０、好ましくは７〜９である。
【００５５】
本発明の着色剤調合物において、成分ｃ）は、水、好ましくは脱イオン水である。好ましい水の含有量は、少なくとも３０質量％、好ましくは少なくとも４５質量％、より好ましくは６５質量％である。
【００５６】
本発明の一実施形態において、本発明の着色剤調合物および特に本発明のインクジェット方式用インクは、本発明の着色剤調合物および特に本発明のインクジェット方式用インクの質量に対して、５００ｐｐｍ未満、好ましくは４００ｐｐｍ未満の遊離重金属イオンを含む。重金属イオンの具体的な例としては：Ｃｕ2+、Ｃｏ2+、Ｃｏ3+、Ｆｅ2+、Ｆｅ3+、Ｎｉ2+、Ｚｎ2+、Ｃａ2+である。より好ましくは、本発明の着色剤調合物および特に本発明のインクジェット方式用インクは、３００ｐｐｍ以下の鉄を含む。
【００５７】
５００ｐｐｍ未満の重金属イオンを含む本発明の着色剤調合物および特に本発明のインクジェット方式用インクは、例えば、精製顔料を用いることによって、または、本発明の着色剤調合物および特に本発明のインクジェット方式用インクを調製する間に、沈殿、塩析、イオン交換法、ろ過、電気分解、慣用の脱イオン化法などの工程を実施することによって、調製できる。また、相当する精製された有機溶媒、および、完全に脱イオン化された水を使用することができる。
【００５８】
本発明の一実施形態において、本発明の着色剤調合物および特に本発明のインクジェット方式用インクは、塩化ナトリウムとして測定される塩化物を、０．０５質量％未満含む。
【００５９】
本発明の着色剤調合物および特に本発明のインクジェット方式用インクは、通常、環境に親和的である。
【００６０】
本発明のさらなる態様は、下記で本発明の製造方法として言及する、本発明の着色剤調合物の製造方法である。本発明の製造方法は、通例、種々の成分を混合する一以上の工程を有する。このような工程は、例えば、ボールミル、撹拌されたボールミルを含む、溶解機、槽およびミルなどの慣用の混合装置において実施される。
【００６１】
本発明の製造方法の一実施形態において、水性プレスケーキなどの粒子状着色剤（ａ）は、例えば溶解機などの適当な装置において、少なくとも一種の有機溶媒（ｂ）、水（ｃ）とともに予め混合される。その後、得られた混合物は、所望の粒径（一般的に１μｍ、特に０．５μｍ、より好ましくは０．２μｍの最大直径）になるまでミルで粉砕する。
【００６２】
本発明の着色剤調合物は、インクとして直接、または、インクの製造に使用される。より好ましくは、本発明の着色剤調合物は、インクジェット方式用インクとして直接、または、インクジェット方式用インクの製造に使用される。他の好ましいインクとしては、例えば、万年筆用インクがある。
【００６３】
本発明の着色剤調合物からインクを調製するために、本発明の一実施形態は、本発明の着色剤調合物に水を加える、場合によってはさらに添加剤を添加し、１〜０．５μｍの粒子を除去するろ過手段を用いて最終的にろ過することによって所望の着色剤濃度に設定するのに十分な工程を有する。本発明のインクジェットインクは、このような方法で得られる。
【００６４】
本発明のさらなる態様は、本発明の着色剤調合物または本発明のインクを用いたインクジェット方式によって、シート状または三次元状などであり得る基板への印刷方法である。この目的を達するために、本発明の着色剤調合物または本発明のインクジェットインクは、基板上に印刷され、印刷物はその後に任意に定着される。
【００６５】
インクジェット方式において、一般的な水溶性インクは、微小な液滴として基板上に直接、散布される。これらには、ノズルを介して一定の速度でインクを加圧して印刷すべきパターンに基づく電界によって基板上へ噴出が方向付けられる連続式の方式があり、また、着色されたドットが出現すべき場所にのみインクが放出される割り込み方式（ｉｎｔｅｒｒｕｐｔｅｄ  ｐｒｏｃｅｓｓ）またはドロップオンデマンド式があり、後者の方式には圧力をインクシステムに加えてインク液滴を噴出させるピエゾ電気結晶または加熱中空針（ｈｅａｔｅｄ  ｈｏｌｌｏｗ  ｎｅｅｄｌｅ）（バブルまたはサーマルジェット方式）のいずれかを使用する。これらの技術は、Ｔｅｘｔ．Ｃｈｅｍ．Ｃｏｌｏｒ１９（１９８７）、Ｎｏ．８、２３〜２９、および２１（１９８９）、Ｎｏ．６、２７〜３２に記載されている。
【００６６】
本発明のインクは、バブルジェット（登録商標）方式、または、ピエゾ電気結晶を用いた方式のインクとして特に有用である。
【００６７】
有用な基板材料としては下記のものが挙げられる：
ラッカーまたはその他のものでコーティングされていてもよい、紙、板紙、ボール紙、木材、木質などのセルロース系材料、
ラッカーまたはその他のものでコーティングされていてもよい、アルミニウム、鉄、銅、銀、金、亜鉛、またはこれらの合金からなる箔、シート、加工品などの金属材料、
同様にコーティングされていてもよい、ガラス、磁器、およびセラミックなどのケイ酸塩材料、
ポリスチレン、ポリアミド、ポリエステル、ポリエチレン、ポリプロピレン、メラミン樹脂、ポリアクリル酸塩、ポリアクリロニトリル、ポリウレタン、ポリカーボネート、ポリ塩化ビニル、ポリビニルアルコール、ポリ酢酸ビニル、ポリビニルピロリドン、およびブロック共重合体を含む相当する共重合体、生分解性高分子、ゼラチン等の天然高分子など、あらゆる種類の高分子材料、
天然または人口の、滑らかな形態の革、ナッパ革、またはスエード革などの革、
食料品および化粧品、
ならびに特に、
織物、編物、織布、不織布、例えば、ポリエステル、変性ポリエステルなどからなる人工布、ポリエステル混紡織物、綿混紡織物、綿、ジュート、亜麻、麻、およびカラムシなどのセルロース材料、ビスコース、ウール、シルク、ポリアミド、ポリアミド混紡織物、ポリアクリロニトリル、ポリウレタン、ポリテトラヒドロフラン、トリアセテート、アセテート、ポリカーボネート、ポリプロピレン、ポリ塩化ビニル、ならびにポリエステルマイクロファイバー、などの二以上の材料からなる混紡布、ガラス繊維織物。
【００６８】
本発明の着色剤調合物および特に本発明のインクジェット方式用インクは、特に、優れた印刷開始性、優れた使用持続性（こげつき）、および優れた耐滲み性など、総合的に有利な動作性能を有し、高品質、すなわち、光沢、色の深み、耐摩擦性、耐光性、耐水性、耐湿性、耐洗濯性、およびケミカルドライクリーニングに対する安定性に優れるイメージを印刷できる。これらは、コーティングされた印刷物、普通紙、織物において、特に有用である。
【００６９】
本発明のさらなる実施形態では、基板、特に織物基板を提供し、これは、上述した本発明の一方法によって印刷がされ、パリッと印刷された像または線描および優れた手触りが顕著である。
【００７０】
本発明のさらなる一実施形態において、少なくとも二つ、好ましくは少なくとも三つの本発明とは異なるインクジェット用インクを、混合してセットとしてもよい。
【実施例】
【００７１】
本発明の実施例を以下に記載する。
【００７２】
１ａ）顔料の分散
下記のものを撹拌型ボールミル、Ｄｒａｉｓ  ＤＣＰ  ＳＦ  １２  Ｓｕｐｅｒｆｌｏｗ中で粉砕した。
【００７３】
ピグメントブルー１５：３              １８００ｇ
ｎ−Ｃ18Ｈ37Ｏ（ＣＨ2ＣＨ2Ｏ）25Ｈ    ４５０ｇ
蒸留水                                ３７００ｇ
粉砕は、顔料粒子の平均径が１００ｎｍになるまで続けた。
【００７４】
１ｂ）本発明の着色剤調合物の調製
下記のものをガラスビーカー中で混合した。
【００７５】
１ａ）の分散顔料                                          １７ｇ
グリセロール（沸点：２９０℃）                            １５ｇ
ポリエチレングリコール（Ｍn８０００ｇ／ｍｏｌ）            １ｇ
ポリエチレングリコール（Ｍn  ４００ｇ／ｍｏｌ）            ７ｇ
ポリテトラヒドロフラン（Ｍn  ２５０ｇ／ｍｏｌ）            ５ｇ
湿潤剤（Tego Wet（登録商標）２５０、沸点＞＞２５０℃） ０．２ｇ
尿素                                                        １ｇ
完全な脱イオン水                                      ５３．８ｇ
【００７６】
得られた着色剤調合物を、直径が１μｍの孔を有する篩でろ過した。
【００７７】
使用したグリセロール、ポリエチレングリコール、およびポリテトラヒドロフランは、使用したグリセロール、使用したポリエチレングリコール、および使用したポリテトラヒドロフランのそれぞれに対して、５００ｐｐｍ未満の濃度の遊離重金属イオンを含んでいた。
【００７８】
本発明の着色剤調合物は、インクジェット用インクとして使用することができる。織物（綿）などの印刷基板上において非常に優れた結果が達成された。
【００７９】
基板、特に綿などの織物上での液滴抑止特性（ホールドアウト）は、非常に優れていた。
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
少なくとも一種の粒子状着色剤ａ）、
大気圧下、２４７℃以上の沸点を有する少なくとも一種の有機溶媒ｂ）、および、
水ｃ）、を含み、
大気圧下、２４７℃未満の沸点を有する少なくとも一種の有機溶媒を、０．２５質量％未満含むインクジェット方式用インク。
【請求項２】
全ての有機溶媒ｂ）が、大気圧下、少なくとも２５０℃の沸点を有する請求項１に記載のインクジェット方式用インク。
【請求項３】
全ての有機溶媒ｂ）が、少なくとも２００℃の分解点を有する請求項１または２に記載のインクジェット方式用インク。
【請求項４】
水ｃ）を、少なくとも３０質量％含む請求項１〜３のいずれか１項に記載のインクジェット方式用インク。
【請求項５】
遊離重金属イオンを５００ｐｐｍ未満含む請求項１〜４のいずれか１項に記載のインクジェット方式用インク。
【請求項６】
請求項１〜５のいずれか１項に記載されたインクジェット方式用インクを用いたインクジェット方式による基板への印刷方法。
【請求項７】
前記基板が、織物基板である請求項６に記載の方法。
【請求項８】
請求項６または７に記載の方法によって得られた印刷基板。
【国際調査報告】
2007502335.tif 000004
2007502335.tif 000005
2007502335.tif 000006
2007502335.tif 000007
2007502335.tif 000008
2007502335.tif 000009